(57)【要約】【課題】自己撮影が可能であり、ディスプレイの画面に傷がつく虞のない携帯型電子機器を提供する。【解決手段】本発明に係る携帯型電子機器は、第１筐体１と、第１筐体１に対して１軸方向にスライド可能な第２筐体２と、第２筐体２に対して前記１軸を中心として回転可能な第３筐体３とから構成され、第１筐体１には、その表面に複数の操作キー11が配備されると共に、その背面にカメラ８が露出し、第２筐体２及び第３筐体３は、閉じ位置と開き位置との間を往復移動し、第３筐体３には、その表面にディスプレイ７が配備され、第３筐体３は、その開き位置にて、ディスプレイ７の画面を第１筐体１の表面と同じ方向に向けた通常姿勢と、ディスプレイ７の画面を第１筐体１の背面と同じ方向に向けた反転姿勢との間で回転すると共に、反転姿勢のまま開き位置から閉じ位置へ移動することが可能である。【選択図】図３
2009111798.tif 000002
【特許請求の範囲】
【請求項１】
第１筐体(１)と、該第１筐体(１)に対して１軸方向にスライド可能に連結された第２筐体(２)と、該第２筐体(２)に対して前記１軸を中心として回転可能に連結された第３筐体(３)とから構成され、第１筐体(１)には、その表面に複数の操作キー(11)が配備され、第２筐体(２)及び第３筐体(３)は、第１筐体(１)の操作キー(11)を覆う閉じ位置と、第１筐体(１)の操作キー(11)を露出させる開き位置との間を往復移動することが可能であり、第３筐体(３)には、その表面にディスプレイ(７)が配備され、第３筐体(３)は、その開き位置にて、ディスプレイ(７)の画面を第１筐体(１)の表面と同じ方向に向けた通常姿勢と、ディスプレイ(７)の画面を第１筐体(１)の表面と逆の方向に向けた反転姿勢との間で回転することが可能であると共に、反転姿勢のまま開き位置から閉じ位置へ移動することが可能であることを特徴とする携帯型電子機器。
【請求項２】
第２筐体(２)の表面には、１或いは複数の操作キーが配備されている請求項１に記載の携帯型電子機器。
【請求項３】
第１筐体(１)の背面には、カメラ(８)の撮影窓が露出している請求項１又は請求項２に記載の携帯型電子機器。
【請求項４】
第２筐体(２)と通常姿勢の第３筐体(３)が閉じ位置に設置された第１状態と、第２筐体(２)と通常姿勢の第３筐体(３)が開き位置に設置された第２状態と、第２筐体(２)と反転姿勢の第３筐体(３)が開き位置に設置された第３状態と、第２筐体(２)と反転姿勢の第３筐体(３)が閉じ位置に設置された第４状態の４つの状態を検知するための検知手段を具え、第４状態が検知されたときは、カメラ(８)をオフして、シャッター操作を無効とする請求項３に記載の携帯型電子機器。
【発明の詳細な説明】
【技術分野】
【０００１】
本発明は、携帯電話機やデジタルカメラの如き小型電子機器に関するものである。
【背景技術】
【０００２】
近年、携帯電話機においては、電話通信機能と撮影機能を有するものが主流となっており、撮影機能を実現するために、カメラを内蔵し、カメラによって撮影した画像をディスプレイの画面に表示することが行なわれている。
【０００３】
例えば図１１に示す携帯電話機(特許文献１参照)は、第１筐体(９)と、第１筐体(９)に対して１軸方向にスライドが可能な第２筐体(92)と、第２筐体(92)に対して前記１軸を中心とする回転が可能な第３筐体(93)とから構成され、第１筐体(９)の表面にはディスプレイ(91)の画面が配備され、第２筐体(92)の表面には、複数の操作キー(図示省略)が配備され、第３筐体(93)の表面にはカメラ(94)の撮影窓が配備されている。
【０００４】
上記携帯電話機においては、第２筐体(92)をスライドさせると共に第３筐体(93)を回転させて、第１筐体(９)のディスプレイ(91)と第３筐体(93)のカメラ(94)とを同じ方向に向けることにより、カメラ(94)によってユーザ自身を撮影すると共に、その撮影画像をディスプレイ(91)に表示することが可能となり、シャッター釦(95)の操作によって容易に自己撮影を行なうことが出来る。
【特許文献１】特開２００５−１３０２１９号公報
【発明の開示】
【発明が解決しようとする課題】
【０００５】
しかしながら、図１１に示す携帯電話機においては、第２筐体(92)のスライド位置や第３筐体(93)の回転姿勢に拘わらず、常にディスプレイ(91)の画面が露出することとなるため、例えば鞄の中に入れて持ち歩く場合、鞄の中の物体がディスプレイ(91)の画面に衝突して、画面に傷がつく虞があった。又、シャッター釦が押されて、無駄に電流が消費される虞があった。
【０００６】
そこで本発明の第１の目的は、携帯時にディスプレイの画面に傷がつく虞のない携帯型電子機器を提供することであり、第２の目的は、更に、カメラによって前方の風景を撮影する通常撮影のみならず自己撮影が可能である携帯型電子機器を提供することであり、第３の目的は、更に、誤操作による電流消費を防ぐことが出来る携帯型電子機器を提供することである。
【課題を解決するための手段】
【０００７】
本発明に係る携帯型電子機器は、第１筐体(１)と、該第１筐体(１)に対して１軸方向にスライド可能に連結された第２筐体(２)と、該第２筐体(２)に対して前記１軸を中心として回転可能に連結された第３筐体(３)とから構成され、第１筐体(１)には、その表面に複数の操作キー(11)が配備され、第２筐体(２)及び第３筐体(３)は、第１筐体(１)の操作キー(11)を覆う閉じ位置と、第１筐体(１)の操作キー(11)を露出させる開き位置との間を往復移動することが可能であり、第３筐体(３)には、その表面にディスプレイ(７)が配備され、第３筐体(３)は、その開き位置にて、ディスプレイ(７)の画面を第１筐体(１)の表面と同じ方向に向けた通常姿勢と、ディスプレイ(７)の画面を第１筐体(１)の表面と逆の方向に向けた反転姿勢との間で回転することが可能であると共に、反転姿勢のまま開き位置から閉じ位置へ移動することが可能であることを特徴とする。
【０００８】
上記携帯型電子機器においては、第２筐体(２)と通常姿勢の第３筐体(３)が閉じ位置に設置された第１状態から、第２筐体(２)及び第３筐体(３)を前記１軸に沿って一方向にスライドさせることにより、第２筐体(２)と通常姿勢の第３筐体(３)が開き位置に設置された第２状態に移行する。更に、第２状態から第３筐体(３)を前記１軸回りに回転させることにより、第２筐体(２)と反転姿勢の第３筐体(３)が開き位置に設置された第３状態に移行する。更に、第３状態から第２筐体(２)及び第３筐体(３)を前記１軸に沿って逆方向にスライドさせることにより、第２筐体(２)と反転姿勢の第３筐体(３)が閉じ位置に設置された第４状態に移行する。
【０００９】
上記携帯型電子機器によれば、第４状態では、ディスプレイ(７)の画面が第１筐体(１)の背面と同じ方向に向いたまま閉じ位置まで移動しており、これによってディスプレイ(７)の画面が第１筐体(１)の表面によって覆われることとなる。
【００１０】
具体的構成において、第２筐体(２)の表面には、１或いは複数の操作キーが配備されている。
該具体的構成によれば、状態に拘わらず、第２筐体(２)の表面に配備された操作キーを操作することが出来る。
【００１１】
又、具体的構成において、第１筐体(１)の背面には、カメラ(８)の撮影窓が露出している。
該具体的構成によれ、第１状態及び第２状態では、ディスプレイ(７)とカメラ(８)が互いに逆方向に向くので、カメラ(８)によって撮影した前方の画像をディスプレイ(７)の画面に表示し、その画像を確認しながらシャッター操作を行なうことにより、通常撮影を実施することが出来る。又、第２状態では、第１筐体(１)の操作キー(11)が露出するので、該操作キー(11)の操作によって入力した情報をディスプレイ(７)の画面に表示することが出来る。
第３状態では、ディスプレイ(７)とカメラ(８)が互いに同じ方向を向くので、カメラ(８)によって撮影したユーザ自身の画像をディスプレイ(７)の画面に表示し、その画像を確認しながらシャッター操作を行なうことにより、自己撮影を実施することが出来る。
【００１２】
更に具体的な構成において、第２筐体(２)と通常姿勢の第３筐体(３)が閉じ位置に設置された第１状態と、第２筐体(２)と通常姿勢の第３筐体(３)が開き位置に設置された第２状態と、第２筐体(２)と反転姿勢の第３筐体(３)が開き位置に設置された第３状態と、第２筐体(２)と反転姿勢の第３筐体(３)が閉じ位置に設置された第４状態の４つの状態を検知するための検知手段を具え、第４状態が検知されたときは、カメラ(８)をオフして、シャッター操作を無効とする。
【００１３】
該具体的構成によれば、第４状態が検知されたときはカメラ(８)がオフとなって、シャッター操作が無効となるので、例えば携帯型電子機器を第４状態で鞄の中に入れて持ち歩く場合、鞄の中の物体がシャッター釦に衝突したとしても、カメラ(８)による撮影動作が実行されることはないので、誤動作による撮影を防止することが出来る。
【発明の効果】
【００１４】
本発明に係る携帯型電子機器によれば、第４状態で携帯すればディスプレイの画面に傷がつく虞はない。又、第１筐体にカメラを具えた具体的構成によれば、カメラによって前方の風景を撮影する通常撮影のみならず自己撮影が可能である。更に、４つの状態を検知する具体的構成によれば、誤操作による電流消費を防ぐことが出来る。
【発明を実施するための最良の形態】
【００１５】
以下、本発明を携帯電話機に実施した形態につき、図面に沿って具体的に説明する。
本発明に係る携帯電話機は、図１〜図４に示す如く、第１筐体(１)と、該第１筐体(１)に対して１軸方向にスライド可能に連結された第２筐体(２)と、該第２筐体(２)に対して前記１軸を中心として回転可能に連結された第３筐体(３)とから構成されている。ここで、第２筐体(２)と第３筐体(３)とは同一平面上に配置され、第１筐体(１)の表面と第２筐体(２)及び第３筐体(３)の背面とは、互いに対向している。
【００１６】
第１筐体(１)には、その表面にテンキーを含む複数の操作キー(11)が配備されると共に、その背面にカメラ(８)の撮影窓が露出している。第２筐体(２)の表面には機能キー(21)を含む複数の操作キーが配備されている。第３筐体(３)の表面にはディスプレイ(７)の画面が配備されている。又、第１筐体(１)の側面には、シャッター釦(12)が配備されている。
尚、シャッター釦(12)は、第１筐体(１)の側面に設ける構成に限らず、第１筐体(１)の操作キーや第２筐体(２)の操作キーによって実現することも可能である。
【００１７】
第１筐体(１)と第２筐体(２)の両側部にはそれぞれ、図６に示す如く互いに摺動可能に係合する一対のガイドレール(41)(42)からなるスライド機構(４)が配備されている。又、図７(ａ)(ｂ)に示す如く、第２筐体(２)と第３筐体(３)とは回転機構(５)によって互いに連結されており、第３筐体(３)は、第２筐体(２)に対して、回転軸Ｔ(前記１軸)回りに回転が可能となっている。
【００１８】
回転機構(５)の内部には複数本のケーブル(図示省略)が貫通し、これらのケーブルの一方の端部がコネクター(51)を介して、第２筐体(２)に内蔵された電子部品(図示省略)と接続されると共に、これらのケーブルの他方の端部が第コネクター(52)を介して、第３筐体(３)に内蔵された電子部品(図示省略)と接続されている。
又、第１筐体(１)と第２筐体(２)との間には、Ｕ字状に屈曲するフレキシブルリード(54)が配備され、該フレキシブルリード(54)の一方の端部がコネクター(51)を介して、第２筐体(２)に内蔵された電子部品(図示省略)と接続されると共に、該フレキシブルリード(54)の他方の端部がコネクター(53)を介して、第１筐体(１)に内蔵されている電子部品(図示省略)と接続されている。
該フレキシブルリード(54)の屈曲によって、第１筐体(１)と第２筐体(２)の間の相対移動が許容される。
【００１９】
図１及び図７(ａ)に示す如く、第２筐体(２)の表面と第３筐体(３)の表面が同じ方向を向くと共に、第１筐体(１)に対して、第２筐体(２)と第３筐体(３)とが閉じ位置に設置された第１状態では、第３筐体(３)の表面からディスプレイ(７)の画面が露出すると共に、第１筐体(１)の背面にはカメラ(８)の撮影窓が露出している。
【００２０】
第１状態から、第２筐体(２)及び第３筐体(３)を上方へスライドさせることによって、図２及び図７(ｂ)に示す第２状態に移行し、第２筐体(２)と第３筐体(３)が開き位置に設置されて、第１筐体(１)の全ての操作キー(11)が露出することになる。
【００２１】
第２状態から、第３筐体(３)を前記回転軸Ｔ回りに１８０度回転させることによって、図３及び図８(ａ)に示す第３状態に移行し、第３筐体(３)が反転姿勢に設置されて、第１筐体(１)の背面と第３筐体(３)の表面とが同じ方向を向くことになる。
【００２２】
第３状態から、第２筐体(２)及び第３筐体(３)を下方にスライドさせることによって、図４及び図８(ｂ)に示す第４状態に移行し、第２筐体(２)及び第３筐体(３)が閉じ位置に設置されて、ディスプレイ(７)の画面は第１筐体(１)の表面によって覆われることになる。
【００２３】
尚、第１筐体(１)には、操作キー(11)の下方の最下部に、マイクロホンからなる受話部(図示省略)が配備されており、該マイクロホンを用いることによって、第２筐体(２)の位置に拘わらず常に通話を行なうことが可能である。
又、第２筐体(２)の最上部、若しくは第３筐体(３)の最上部には、スピーカからなる受話部(図示省略)が配備されており、第１状態乃至第４状態の何れにおいても、必要に応じて使用することが可能となっている。第３筐体(３)に受話部を配備する場合、第３筐体(３)の最上部の側面に１つの受話部を配備する構成、第３筐体(３)の最上部の表面及び裏面に２つの受話部を配備する構成、第３筐体(３)の表面及び裏面の双方に放音出来るように共通の受話部を配備する構成等が考えられる。
【００２４】
上記の第１状態、第２状態、第３状態及び第４状態を検知するべく、図９に示す様に、第２筐体(２)の右下端部には第１ＭＲセンサー(61)、第１筐体(１)の右上端部には第１磁石(63)が配備される共に、第２筐体(２)の左上端部には第２ＭＲセンサー(62)、第３筐体(３)の右下端部には第２磁石(64)が配備される。
【００２５】
図１０(ａ)(ｂ)に示す如く、第３筐体(３)が正面を向いて閉じた第１状態では、第１ＭＲセンサー(61)及び第２ＭＲセンサー(62)が共にオフとなる。第３筐体(３)をスライドさせて開けた第２状態では、第１ＭＲセンサー(61)がオンとなる一方、第２ＭＲセンサー(62)がオフとなる。第３筐体(３)を１８０度回転させて背面に向けた第３状態では、第１ＭＲセンサー(61)及び第２ＭＲセンサー(62)が共にオンとなる。又、第３筐体(３)をスライドさせて閉じた第４状態では、第１ＭＲセンサー(61)がオフとなる一方、第２ＭＲセンサー(62)がオンとなる。
【００２６】
そこで、第１状態、第２状態及び第３状態では、カメラ(８)をオンとして、シャッター釦(12)の操作を有効とする。これに対し、第４状態では、カメラ(８)をオフとして、シャッター釦(12)の操作を無効とする。
【００２７】
上記携帯電話機によれば、第１状態及び第２状態では、図１、図２及び図７(ａ)(ｂ)に示す如くディスプレイ(７)とカメラ(８)が互いに逆方向に向くので、カメラ(８)によって撮影した前方の画像をディスプレイ(７)の画面に表示し、その画像を確認しながらシャッター操作を行なうことにより、通常撮影を実施することが出来る。
又、第２状態では、図２に示す如く第１筐体(１)の操作キー(11)が露出するので、該操作キー(11)の操作によって入力した情報をディスプレイ(７)の画面に表示することが出来る。
【００２８】
第３状態では、図３、図５及び図８(ａ)に示す如くディスプレイ(７)とカメラ(８)が互いに同じ方向を向くので、カメラ(８)によって撮影したユーザ自身の画像をディスプレイ(７)の画面に表示し、その画像を確認しながらシャッター操作を行なうことにより、自己撮影を実施することが出来る。
【００２９】
第４状態では、図４及び図８(ｂ)に示す如く、ディスプレイ(７)の画面が第１筐体(１)の表面によって覆われることとなる。従って、携帯電話機を第４状態で携帯すれば、ディスプレイ(７)の画面に傷がつく虞はない。
又、第４状態では、図１０(ｂ)に示す如く、シャッター操作が無効となるので、携帯中の誤動作による撮影を防止することが出来、然も誤動作による電流の消費を防止することが出来る。
更に、第１状態、第２状態、第３状態及び第４状態の４つの状態を検知することが出来るで、状態に応じた適切な制御が可能である。
【００３０】
尚、本発明の各部構成は上記実施の形態に限らず、特許請求の範囲に記載の技術的範囲内で種々の変形が可能である。又、本発明は、携帯電話機に限らず、デジタルカメラ等の撮影機能を有する種々の携帯型電子機器に実施することが出来る。
【図面の簡単な説明】
【００３１】
【図１】本発明に係る携帯電話機の第１状態を示す斜視図である。
【図２】該携帯電話機の第２状態を示す斜視図である。
【図３】該携帯電話機の第３状態を示す斜視図である。
【図４】該携帯電話機の第４状態を示す斜視図である。
【図５】該携帯電話機の第３状態を示す背面図である。
【図６】スライド機構を示す断面図である。
【図７】該携帯電話機の第１状態と第２状態を示す断面図である。
【図８】該携帯電話機の第３状態と第４状態を示す断面図である。
【図９】状態検知のためのＭＲセンサーと磁石の配置を示す斜視図である。
【図１０】状態移行と状態検知を説明するフローチャート(ａ)と図表(ｂ)である。
【図１１】従来の携帯電話機の斜視図である。
【符号の説明】
【００３２】
(１)  第１筐体
(11)  操作キー
(12)  シャッター釦
(２)  第２筐体
(21)  機能キー
(３)  第３筐体
(４)  スライド機構
(５)  回転機構
(61)  第１ＭＲセンサー
(62)  第２ＭＲセンサー
(63)  第１磁石
(64)  第２磁石
(７)  ディスプレイ
(８)  カメラ
【図１】
2009111798.tif 000003
【図２】
2009111798.tif 000004
【図３】
2009111798.tif 000005
【図４】
2009111798.tif 000006
【図５】
2009111798.tif 000007
【図６】
2009111798.tif 000008
【図７】
2009111798.tif 000009
【図８】
2009111798.tif 000010
【図９】
2009111798.tif 000011
【図１０】
2009111798.tif 000012
【図１１】
2009111798.tif 000013